【事件の表示】
　平成　３年特許願第１８７２４５号「施肥装置付き苗移植機」拒絶査定に対する審判事件［平成　５年　２月　９日出願公開、特開平　５−　３０８２０］について、次のとおり審決する。
【結　論】
　本件審判の請求は、成り立たない。
【理　由】
１．手続きの経緯、本願発明
　本願は、平成３年７月２６日に出願されたものであって、請求項１に係る発明（以下、「本願発明」という。）は、平成１３年１０月２５日付けの手続補正書により全文補正された明細書及び図面の記載からみて、その特許請求の範囲の請求項１に記載された以下のとおりのものである。
「走行車体１の後側に左右横並びに配置した複数の苗植杆１１を部分的に駆動停止するクラッチ１９を備える苗植装置３を昇降可能に設けると共に、肥料を収容するホッパー２０の下側に該ホッパー２０内の肥料を繰出す複数の繰出部２１を、走行車体１の後部で苗植装置３の前側に左右横並びに配置した施肥装置付き苗移植機において、前記複数の苗植杆１１及び複数の繰出部２１を部分的に駆動停止操作する操作具３５を、繰出部２１の左右間でホッパー２０の下方に入り込ませて機体正面視で駆動停止する繰出部２１の側方に配置し且つ機体前方側から操作可能に配置すると共に、操作具３５の操作により前記クラッチ１９を連動操作するためのワイヤ５５をホッパー２０の下側の繰出部の左右間を通して設けたことを特徴とする施肥装置付き苗移植機。」
　
２．引用例記載の発明
　これに対して、原査定の拒絶の理由に引用された特開昭５７―１９８０１４号公報（以下、「引用文献１」という。）、および、特開平２−２７３１１２号公報（以下、「引用文献２」という。）には、以下の各記載が認められる。
（１）引用文献１（特開昭５７―１９８０１４号公報）
（イ）「多条植田植機の単一あるいは相隣接する複数の個数別に分れたグループの苗植付装置によるそれらの苗植付け位置に対応させて、それぞれ施肥をする施肥装置を設け、前記苗植付装置の前記各苗植付け機能を中止する苗植付け停止機構と、その苗植付け停止機構を有する苗植付装置に対応する施肥装置の施肥停止機構とを、苗植付け停止操作に連動して施肥停止されるよう互いに連動連結してなる施肥装置付き田植機。」（特許請求の範囲）、
（ロ）「この発明の一実施例を詳述すると、(1)は牽引車体で、左右一対の前輪(2)、(2)と左右一対の後輪(3)、(3)とを下部に有し、上部前端にボンネット(4)で覆われたエンジン（図示せず）を設け、このエンジンの後方に操縦座席(5)を設け、エンジンと座席(5)との間に操縦ハンドル(6)を設けたものである。(7)は田植装置で、ミッションケースを兼ねた植付部フレーム(8)の上部に前側が上位となるよう傾傾設されていて左右に往復横移動される苗収納する複数の苗タンク(9)と、該苗タンク(9)の後端側にあって苗を一株分づつ分割して植付ける苗植付装置(10)と、更にフレーム(8)の下部に装着されていて土壌表面を整地する整地フロート(11)とから構成されている。」（第２頁左上欄第５〜１８行）、
（ハ）「(25)は昇降動装置で、アッパーリンク(26)とロワーリンク(27)の基部を牽引車体(1)の後端部にブラケット(28)を介して取付け、両リンクの後端部をヒッチ枠(29)によって連結し、アッパーリンク(26)と牽引車体(1)との間に油圧シリンダー装置(30)を介装したものである。」（第２頁左下欄第１０〜１５行）、
（ニ）「(33)は施肥装置で、牽引車体(1) 側に装着される施肥収納用のホッパー(34)と、そのホッパーの下部に設けられた繰出装置(35)と、繰出された肥料を田植装置(10)の整地フロート(11)上部近傍まで流下移送させるホース(36)と、更に土壌中下部が没して一定深さに作溝する作溝器(37a)とこの作溝器(37a)に取付けられていて作溝内に施肥するパイプ(37b)とからなる施肥器(37)とから横成されている。そして、該施肥装置(33)、(33)は前記苗植付装置(10)、(10)・・・のうちの互に隣合う2個の苗植付装置に対して1個の施肥装置(33)が装備され、苗植付け条間内に前記施肥器(37)が配設されている。前記繰出装置(35)は、伝動回転される溝付き回転ロール(35a)に、その回転ロール(35a)の上面でロール回転軸の軸芯方向に沿って移動できて当該ロールの上面を開放したり、覆うことのできる断面半円形状のシャッター(38)とからなり、このシャッター(38)がホッパー外に設けられたレバー(39)で自由に移動できるように設けられ、シャッター(38)を押込むと肥料の繰出しが中止されるように設けられている。(40a)、(40b)・・・は前記苗植付装置(10)、(10)のクラッチ(19)、(19)を入、切するクラッチレバーで、このうち、(40a)は左側の分岐したフレーム(8a)内のクラッチ(19)にワイヤー(41a)で連結され、また、(40b)は中央のフレーム(8b)内のクラッチ(19)に同じくワイヤー(41b)で連結され、順次、各別に各のクラッチ(19)、(19)を入、切できるよう構成されている。(48a)、(48b)は前記各施肥装置(33)、(33)のシャッター(38)、(38)と前記クラッチレバー(40a)、(40b)とを各別に連結するワイヤーで、左側のクラッチ(19)を切ると左側の施肥が中止され、中央のクラッチ(19)を切るとこれに対応する中央の施肥が中止されるようそれぞれ連動連結している。」（第２頁右下欄第３行〜第３頁左上欄第１９行）、
（ホ）「このような場合に、最終の苗植付け工程前に、田植機の未植地側に位置する苗植付装置、例えば第2図中の左側の苗植付装置のクラッチ(19)をクラッチレバー(40a)でワイヤー(41a)を介して切り、この左側2個の苗植付けを停止する。このとき、左側の施肥装置(33)の繰出装置(35)部のシャッター(38)が回転ロール(35a)の上面を覆うようにワイヤー(48a)で作動され、同時にこの左側2例の苗植付け条間に対する施肥が停止されることとなる。」（第３頁左下欄第８〜１６行）。
　上記（イ）〜（ホ）の記載及び図面の記載からみて、引用文献１に記載された発明は以下のようなものであると認められる。（以下、「引用文献１の発明」という。）
「牽引車体(1)の後端側に相隣接する複数の苗植付装置(10) 、(10)を各別に苗植付けを停止するクラッチ(19) を備える田植装置(7) を昇降動装置(25)を介して取付け、施肥収納用のホッパー(34) と、そのホッパーの下部に設けられた相隣接する複数の繰出装置(35)を、牽引車体(1)の後端側で苗植付装置(10) 、(10)の前側に相隣接して配置した施肥装置(33)、(33)付き田植機において、複数の苗植付装置(10) 、(10)及び複数の繰出装置(35)を各別に入、切するクラッチレバー(40a) 、(40b)を、機体正面視で駆動停止する繰出装置(35) の略側方に配置し且つ機体前方側から入、切できるように設けると共に、クラッチレバー(40a) 、(40b)の入、切によりクラッチ(19)、(19)を入、切できるよう連結するためのワイヤー(41a) 、(41b)を設けた施肥装置(33)、(33)付き田植機。」
（２）引用文献２（特開平２−２７３１１２号公報）
（ヘ）「第10図、第11図において、上例と異なる点は、乗用形態の苗植機において、施肥装置(2)を苗植装置の苗タンク(11)の裏側部に一体的に設けた構成とする。苗植機体(5)は、上部に苗タンク(11)を左右方向へ往復移動するように連動構成し、後部には定位置で苗植作動を行う苗植付杆(12)を設け、下部には各苗植付杆(12)の苗植付部の前側を均平するようにフロート(13)を設ける。・・・調節レバー(4)は、前方の操縦席(36)側へ突出させている。苗植付杆(12)及び苗タンク(11)が多条植形態となっているため、一対の施肥ロール(1)を一体的に伝動するように組合せた施肥ブロック（Ａ）（Ｂ）を更に左右に並べて設ける形態とし、これら左右の施肥ブロック（Ａ）（Ｂ）間に該調節レバー(4)を設けている。調節レバー(4)と施肥ブロック（Ａ）（Ｂ）のレバー軸(3)との関係は、第1図の構成とぼゞ同じであり、各施肥ブロック（Ａ）（Ｂ）共に、一対の施肥ロール(1)はレバー軸(3)によって一体的に調節される。各施肥ブロック（Ａ）（Ｂ）における一対の施肥ロール(1)間の繰出量の調整は、各レバー軸(3)相互部、又はレバー軸(3)と連動機構(22)との間で行う構成とするもよい。」（第３頁左上欄第６行〜右上欄第１８行）。
　上記（ヘ）の記載及び図面の記載からみて、引用文献２には下記の点が記載されていると認められる。
「調節レバー(4)を施肥ロール(1)の左右間で施肥ブロック（Ａ）（Ｂ）の下方側部であって機体正面視で駆動停止する繰出部の側部に配置した」点。
　　
３．本願発明と引用文献の発明との対比
　本願発明と引用文献１の発明とを比較する。　
　引用文献１の発明の、
「牽引車体(1)」、「後端側に相隣接する」、「苗植付装置(10) 、(10)」、「各別に苗植付けを停止する」、「クラッチ(19) 」、「田植装置(7) 」、「昇降動装置(25)を介して取付け」、「施肥収納用」、「ホッパー(34)」、「繰出装置(35)」、「施肥装置(33)、(33)付き」、「田植機」、「各別に」、「入、切する」、「クラッチレバー(40a) 、(40b)」、「入、切できるよう連結するための」、および、「ワイヤー(41a) 、(41b)」は、
　本願発明における、
「走行車体１」、「後側に左右横並びに配置」、「苗植杆１１」、「部分的に駆動停止する」、「クラッチ１９」、「苗植装置３」、「昇降可能に設ける」、「肥料を収容する」、「ホッパー２０」、「繰出部２１」、「施肥装置付き」、「苗移植機」、「部分的に」、「駆動停止操作」、「操作具３５」、「連動操作」、および、「ワイヤ５５」にそれぞれ対応するから、
　両者は、
「走行車体の後側に左右横並びに配置した複数の苗植杆を部分的に駆動停止するクラッチを備える苗植装置を昇降可能に設けると共に、肥料を収容するホッパーの下側に該ホッパー内の肥料を繰出す複数の繰出部を、走行車体の後部で苗植装置の前側に左右横並びに配置した施肥装置付き苗移植機において、前記複数の苗植杆及び複数の繰出部を部分的に駆動停止操作する操作具を配置し且つ機体前方側から操作可能に配置すると共に、操作具の操作により前記クラッチを連動操作するためのワイヤを設けた施肥装置付き苗移植機。」で一致するが、
　下記の点で相違している。
（イ）本願発明では、操作具３５を、「繰出部２１の左右間でホッパー２０の下方に入り込ませて機体正面視で駆動停止する繰出部の側方に配置し」、ワイヤ５５を「ホッパー２０の下側の繰出部２１の左右間を通して」設けているのに対して、引用文献１の発明では操作具とワイヤをこのようには設けていない点。
　
４．当審の判断
　上記相違点（イ）について検討する。
　引用文献２には、上記２．（２）（へ）で述べたように「調節レバー(4)を施肥ロール(1)の左右間で施肥ブロック（Ａ）（Ｂ）の下方に入り込ませて機体正面視で駆動停止する繰出部付近に配置した」構成が記載され、引用文献２の「調節レバー(4)」、「施肥ロール(1)」、および、「施肥ブロック（Ａ）（Ｂ）」は、それぞれ、本願発明の「操作具３５」、「繰出部２１」、および、「ホッパー２０」に相当するから、引用文献２には「操作具を、繰出部の左右間でホッパーの下方側部であって機体正面視で駆動停止する繰出部側部に配置した」構成が開示されているので、引用文献１の発明において、操作具（クラッチレバー(40a) 、(40b)）を、繰出部の左右間でホッパーの下方側部であって機体正面視で駆動停止する繰出部側部に配置することは、技術的困難性はなく、設計的事項にすぎない。
　また、このような位置に操作具を配置すれば、当然のことながら、ワイヤをホッパーの下側の繰出部の左右間を通して設けられることとなるから、本願発明の構成は引用文献１の発明に引用文献２に記載された構成を適用することにより当業者が容易に想到できることである。
　そして、本願発明の上記相違点（イ）に係る構成に基づく作用効果は、当業者が引用文献１および２に記載された発明から予測できる範囲内のものにすぎない。
　
５．むすび
　したがって、本願発明は引用文献１および２に記載された発明に基いて、当業者が容易に発明をすることができたものであるから、特許法第２９条第２項の規定により、特許を受けることができない。
　よって、結論のとおり審決する。